(57)【要約】【課題】優れた温熱作用および生薬に由来する薬効を有する貼付型カイロを提供する。【解決手段】鎮痛効果、血行促進効果、消炎効果などを有する生薬を表面に固定した内袋の片表面の１５〜９０％に、接着剤層を有する貼付型カイロ。【選択図】　　　　図１
0003097002.tif 000002
【実用新案登録請求の範囲】
【請求項１】
生薬を表面に固定した内袋の片表面の１５〜９０％に粘着剤層を有する貼付型カイロ。
【請求項２】
生薬を表面に固定した内袋の片表面の３０〜６０％に粘着剤層を有する請求項１記載の貼付型カイロ。
【請求項３】
生薬が、唐辛子、甘草、黄檗、当帰、紫根、生姜、楊梅皮、山梔子、薬用人参、セイヨウトチノミ、アルニカ、ハッカ油、ユーカリ油、チモール、カンフル、グリチルリチン酸およびこれらの塩類からなる群から選択される１種以上の生薬である請求項１または２記載の貼付型カイロ。
【請求項４】
生薬が、唐辛子、甘草、黄檗、薬用人参およびハッカ油からなる群から選択される１種以上の生薬である請求項１記載の貼付型カイロ。
【請求項５】
生薬が、唐辛子、甘草、黄檗、薬用人参およびハッカ油からなる群から選択される１種以上の生薬である請求項２記載の貼付型カイロ。
【請求項６】
生薬が、内袋の片面または両面の表面に、全面、パターン状、ドット状または文字、絵柄状に固定された請求項１、２、３、４または５記載の貼付型カイロ。
【請求項７】
生薬が、内袋の片面または両面の表面に、ドット状に固定された請求項１記載の貼付型カイロ。
【請求項８】
生薬が、内袋の片面または両面の表面に、ドット状に固定された請求項２記載の貼付型カイロ。
【請求項９】
カイロの片面または両面が通気性である請求項１、２、３、４、５、６、７または８記載の貼付型カイロ。
【考案の詳細な説明】
【０００１】
【考案の属する技術分野】
本考案は、優れた温熱作用および薬効を示す貼付型カイロに関する。
【０００２】
【従来の技術】
防寒および手軽さ（簡便性）を目的としたカイロの温熱作用に、生薬の薬効を組み合わせることにより、温熱と薬効の相乗効果で患部の症状を改善させる試みは、従来より報告されている。
【０００３】
たとえば、特開昭６１−１４９１４４号公報には、発熱剤にモグサを混入させた使い捨てカイロが開示されている。しかし、このカイロは、モグサを対象としたカイロであり、モグサ以外の様々な種類の生薬を、同様に発熱剤に混入させた場合には、肌に生薬が直接触れないため、生薬の効果が発揮されにくいなどの問題がある。
【０００４】
また、特開平１０−２０１７８７号公報には、使い捨てカイロの表面に、漢方薬剤の貼薬剤のシートを貼着させたカイロが開示されている。しかし、貼薬剤に含まれる粘着剤が、肌に接するカイロの片面全体を覆っているため、カイロを使用することにより、肌を痛めやすいなどの問題がある。
【０００５】
したがって、優れた温熱作用および種々の生薬の薬効を有したカイロについては、これまで報告がなされていなかった。
【０００６】
【考案が解決しようとする課題】
本考案は、優れた温熱作用および生薬に由来する薬効を有する貼付型カイロを提供することを目的とする。
【０００７】
【課題を解決するための手段】
本考案は、生薬を表面に固定した内袋の片表面の１５〜９０％に粘着剤層を有する貼付型カイロに関する。
【０００８】
前記カイロは、生薬を表面に固定した内袋の片表面の３０〜６０％に粘着剤層を有することが好ましい。
【０００９】
前記カイロにおいて、生薬は、唐辛子（トウガラシ）、甘草（カンゾウ）、黄檗（オウバク）、当帰（トウキ）、紫根（シコン）、生姜（ショウキョウ）、楊梅皮（ヨウバイヒ）、山梔子（サンシシ）、薬用人参、セイヨウトチノミ、アルニカ、ハッカ油、ユーカリ油、チモール、カンフル、グリチルリチン酸およびこれらの塩類からなる群から選択される１種以上の生薬であることが好ましい。
【００１０】
前記カイロにおいて、生薬は、唐辛子、甘草、黄檗、薬用人参およびハッカ油からなる群から選択される１種以上の生薬であることがより好ましい。
【００１１】
前記カイロにおいて、生薬は、内袋の片面または両面の表面に、全面、パターン状、ドット状または文字、絵柄状に固定されていることが好ましい。
【００１２】
前記カイロにおいて、生薬は、内袋の片面または両面の表面に、ドット状に固定されていることがより好ましい。
【００１３】
前記カイロは、片面または両面が通気性であることが好ましい。
【００１４】
【考案の実施の形態】
本考案のカイロは、生薬を表面に固定した内袋の片表面の１５〜９０％に粘着剤層を有した貼付型カイロである。
【００１５】
カイロに含有される生薬由来の成分が、カイロの発熱にともなって患部に浸透するため、本考案のカイロは、体に優しく、しかも強力に患部の症状を改善することができる。
【００１６】
本考案のカイロにおいて、生薬としては、唐辛子、甘草、黄檗、当帰、紫根、生姜、楊梅皮、山梔子、薬用人参、セイヨウトチノミ、アルニカ、ハッカ油、ユーカリ油、チモール、カンフル、グリチルリチン酸およびこれらの塩類などの生薬、生薬エキスまたは精油を用いることができる。これらの中では、とくに、唐辛子、甘草、黄檗、薬用人参またはハッカ油であることが好ましい。これらの生薬は、１種類のみをカイロに含有させてもよく、２種類以上を混合してカイロに含有させることもできる。また、患部の症状に応じて、適宜選択することもできる。たとえば、黄檗は、鎮痛効果を有しているため、肩や筋肉の痛み、生理痛などの体の様々な部位の痛みに対して効果を示す。唐辛子は、血行促進効果を有するため、体を温めることができる。また、甘草およびハッカ油は、消炎効果を有するため、打ち身や腫れ、炎症に対して効果を示す。
【００１７】
本考案のカイロに用いられる内袋は、通気小孔または微細孔群を有する扁平状の通気性を有する袋であり、少なくともその一部が通気性を有する面であることが好ましい。すなわち、一方の面が通気性で他方の面が非通気性面であってもよいし、また両面とも通気性であってもよい。さらに、片面のうち、一部が通気性面で残りが非通気性面であってもよい。
【００１８】
内袋の通気性については、とくに限定はないが、通気孔の直径は内容物がこぼれない程度であればよく、たとえば３０μｍ以下程度である。また、通気量は、前記発熱剤が発熱し得る範囲であればよく、本考案においてとくに限定されるものではないが、通常、ＪＩＳ　Ｋ　７１２９に規定されているＡ法（感湿センサー法）により測定した値で５０〜３０００ｇ／ｍ２・日であり、好ましくは２００〜１３００ｇ／ｍ２・日、とくに好ましくは３００〜１０００ｇ／ｍ２・日である。
【００１９】
内袋の材質としては、前記通気性を満たすものであれば、とくに制限はないが、毛羽立たず、柔らかく、強度があり、品質が安定しており、ヒートシール性を有するものが好ましい。具体的には、たとえば、ポリウレタン、ポリプロピレンもしくはポリエチレンまたはそれらを改質したプラスチック質またはゴム質のような柔軟性の熱可塑性シートないし多孔質フィルムやアクリル樹脂などの樹脂フィルム、不織布、あるいはポリ塩化ビニル、ポリエステル、ポリエチレン、織布、紙などの単層または積層したもの、または、それらのラミネート体があげられる。
【００２０】
内袋の大きさは、本考案においてとくに限定されないが、通常、７×９〜２０×４０ｃｍの範囲の大きさのものを用いることができる。形状は、とくに限定されず、円形、長方形、楕円形など、様々な形状をとることができる。
【００２１】
本考案のカイロは、内袋の外側の片表面に粘着剤層を設けた、患部との密着性の高い貼付型カイロである。粘着剤層を設けることにより、患部に直接、または衣服などを介して貼ることができるため、より簡便に患部に使用でき、生薬に由来する優れた薬効が得られやすい。なお、粘着剤層は非転着性であることが好ましい。このとき、面全体に粘着剤層を設けると薬効が低下するため、粘着剤層は、面全体の面積の１５〜９０％とし、３０〜６０％とすることが好ましい。粘着剤層が１５％未満では、カイロを患部に安定に固定することが難しく、９０％をこえると、優れた薬効を得ることができない。
【００２２】
接着剤層の形状は、前記範囲を満たすものであれば、とくに限定されないが、たとえば、ストライプ状などに部分塗工することができる。
【００２３】
粘着剤層を有する面には、リケイ紙が設けられる。カイロを使用する際には、リケイ紙を剥がして用いられる。
【００２４】
内袋に含有させる発熱剤としては、通常使い捨てカイロとして用いられる発熱剤を用いることができる。発熱剤としては、空気の存在下で酸化発熱するものを使用することができ、たとえば、鉄粉、活性炭、水、木粉、ヒル石、ケイソウ土、吸水性樹脂の混合物などがあげられるが、もちろんこれらに限定されるものではない。
【００２５】
本考案において、生薬の内袋表面への固定は、たとえば、熱可塑性樹脂中に生薬を含有させ、均一に混練して得られた混練物を、内袋を形成する材料からなるシートの表面に配置したのち、通常の加工方法によって、シートに固定することにより行なわれる。
【００２６】
前記熱可塑性樹脂としては、アクリル樹脂、塩化ビニル樹脂などが用いられる。
【００２７】
表面に生薬が固定された前記シートは、そののち、通常の方法により、内袋に加工される。
【００２８】
本考案の実施形態の一例として、図１（ａ）および図２（ｃ）に、内袋基材３の外側表面に、生薬１をドット状に配置して固定した内袋５に、発熱剤２を含ませ、熱融着性フィルム４で閉じたカイロを示す（ドット状生薬カイロ６ｃ）。ドットの大きさ、間隔については、とくに限定されない。
【００２９】
また、生薬を内袋の外表面に固定するパターンは、ドット状に限定されるわけではない。たとえば、図１（ｂ）および図２（ａ）に示すように、内袋外表面すべてが生薬１に覆われていてもよい（全面生薬カイロ６ａ）。そのほか、生薬１は、内袋外表面に、図２（ｂ）に示すようなストライプ状に固定されていてもよく、格子状に固定されていてもよい（パターン状生薬カイロ６ｂ）。さらに、生薬１は、文字や絵柄として固定されていてもよい。この場合は、生薬を混ぜたインクを用いて、文字や絵柄になるよう塗布される。なかでも、優れた薬効が得られることから、生薬は、内袋外表面にドット状に配置されることが好ましい。
【００３０】
本考案のカイロに用いられる外袋としては、非通気性のものであればとくに制限はなく、ラミネートされているものでもよい。好ましいものとしては、たとえばＯＰＰ、ＣＰＰ、ポリ塩化ビニリデンなどにより防湿処理されたナイロン、ポリエステル、ポリプロピレンフィルム、さらにはアルミ箔またはアルミ蒸着されたプラスチックフィルムなどがあげられる。
【００３１】
本考案のカイロは、たとえば、使用中の平均温度が４３〜５７℃であることが好ましく、４８〜５２℃であることがより好ましい。４５℃未満では温熱による相乗効果が充分得られず、５５℃をこえると皮膚への刺激が強すぎる。本考案のカイロは、この範囲の温度で、優れた薬効を示すことができる。なお、前記温度は、ＪＩＳ　Ｓ　４１００および都条例に定められた方法で測定、算出され得る。
【００３２】
本考案のカイロは、生薬が内袋表面に固定されていることから、生薬由来の成分が患部に浸透しやすく、優れた薬効作用を患部に与えることができる。また、本考案のカイロは、発熱剤が完全に酸化されて温熱作用を失ったのちにも、患部への薬効作用を持続するという優れた効果を有する。
【００３３】
【考案の効果】
本考案の貼付型カイロは、生薬を含有することにより、温熱作用とともに生薬に由来する薬効を有し、優れた鎮痛効果、血行促進効果、消炎効果などを示す。
【図面の簡単な説明】
【図１】本考案のカイロの実施形態を示す断面図である。
【図２】本考案のカイロの、生薬の固定パターンを示した平面図である。
【符号の説明】
１　　生薬
２　　発熱剤
３　　内袋基材
４　　熱融着性フィルム
５　　内袋
６ａ　全面生薬カイロ
６ｂ　パターン状生薬カイロ
６ｃ　ドット状生薬カイロ
【図１】
0003097002.tif 000003
【図２】
0003097002.tif 000004